【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
骨の外部形状に対して機器を位置決めするための装置であって、前記機器が、骨の内側の目標領域に位置決めされるように構成された部分を有し、前記骨が表面と、表面垂直軸と、前後軸と、近遠位軸とを有し、前記機器が、
前記表面垂直軸に対する整合を行う底部指標と、
第１および第２の横方向延長部であって、前記第１の横方向延長部が前記骨の前外形に対応して構成され、前記第２の横方向延長部が前記骨の後外形に対応して構成され、前記第１および第２の横方向延長部が、前記前後軸に対して整合を行う第１および第２の横方向延長部と、
前記近遠位軸に沿って視覚的な整合を行うように構成された遠位端を有する前部指標とを備える装置。
【請求項２】
骨に対して手術器具を導くための手術器具ガイドであって、前記骨の外側で動作して、前記骨の内側箇所に前記手術器具を位置決めする一連の部材を備え、前記一連の部材が、
３本の直交する直線軸に沿った変位に対して、かつ前記軸周りの回転に対して、前記骨に前記ガイドを位置決めする位置決め部材と、
前記軸に沿った変位に対して、かつ前記軸周りの回転に対して、前記ガイドを保持する制御部材とを備える手術器具ガイド。
【請求項３】
骨内部における手術を行うためのシステムであって、
前記システムは、器具テンプレートを備え、
前記器具テンプレートが、骨の内側の目標領域に対応する位置で、前記骨内部の外側に位置決めされることを特徴とし、
前記器具テンプレートおよび前記目標領域を示す電子画像が生成されることを特徴とし、
器具が前記目標領域に送出されることを特徴とする、
システム。
【請求項４】
前記器具を前記目標領域に向けるようにガイド部材が配置されることを特徴とし、前記ガイド部材が、前記器具テンプレートに対して一定の方向を有する、請求項３に記載のシステム。
【請求項５】
縦軸を有する細長い骨に対して器具を導くための装置であって、
器具ガイド部材と、
前記ガイド部材を支持するベース部材とを備え、
前記器具ガイド部材が、前記縦軸に対して第１の角度を画定する第１の位置から、前記縦軸に対して第２の角度を画定する第２の位置へ、前記ベースに対して旋回するように構成された装置。
【請求項６】
前記ガイド部材が前記第１の位置にあるときに、前記器具ガイド部材を前記骨の内側の第１の目標領域に位置合わせし、前記ガイド部材が前記第２の位置にあるときに、前記器具ガイド部材を前記骨の内側の第２の目標領域に位置合わせする整合テンプレートをさらに備える、請求項５に記載の装置。
【請求項７】
骨の内部領域をブローチングするためのシステムであって、
前記システムは、骨ブローチング部材を備え、
前記骨ブローチング部材が前記内部領域内で膨張させられることを特徴とし、
前記部材を使用して、前記骨の内側に相対的に低密度の材料が分散させられることを特徴とし、
前記骨の内側の相対的に高密度の材料から離れるように前記部材が偏向させられることを特徴とする、
システム。
【請求項８】
可撓性のドライブシャフトを使用して前記骨ブローチング部材が回転させられることをさらに特徴とする、請求項７に記載のシステム。
【請求項９】
ブローチ位置を方向付けすることができる、請求項７に記載のシステム。
【請求項１０】
前記分散が、前記相対的に低密度の材料の切断を含む、請求項７に記載のシステム。
【請求項１１】
前記分散が、前記相対的に低密度の材料の変位を含む、請求項７に記載のシステム。
【請求項１２】
外部器具ガイドが前記骨ブローチング部材に対して位置合わせされること、
前記外部器具ガイドが前記内部領域に視覚的に対応付けられること、および
前記外部器具ガイドに基づいて、前記骨ブローチング部材が前記内部領域に配置されること
をさらに特徴とする、請求項７に記載のシステム。
【請求項１３】
回転子と、
前記回転子に固定され、前記回転子に対して移動して、前記回転子から半径方向に離れた骨材料を変位させるように構成されたブローチング部材と
を備える、骨をブローチングするための装置。
【請求項１４】
前記骨材料が第１の骨材料であり、前記ブローチング部材がさらに、第２の骨材料周りで実質的に偏向するように構成され、前記第２の骨材料が、前記第１の骨材料の密度よりも高い密度を有する、請求項１３に記載の装置。
【請求項１５】
前記ブローチング部材が、前記ブローチング部材の形状に対応する第１の外形と、前記第２の骨材料を含む解剖学的構造に対応する第２の外形とを有する空間を、前記骨内に形成するように構成される、請求項１４に記載の装置。
【請求項１６】
前記ブローチング部材が第１のブローチング部材であるときに、前記第１のブローチング部材の反対側に配置される第２のブローチング部材をさらに備える、請求項１５に記載の装置。
【請求項１７】
前記ブローチング部材が刃先を備える、請求項１３に記載の装置。
【請求項１８】
前記ブローチング部材が可撓性のワイヤセグメントを備える、請求項１３に記載の装置。
【請求項１９】
前記ワイヤセグメントが編組線を備える、請求項１８に記載の装置。
【請求項２０】
第１の構成と、前記第１の構成よりも小さい曲率半径を有する第２の構成とを有する可撓性シースと、
前記シースを通って延びる回転シャフトと、
前記可撓性シースを前記第１の構成から前記第２の構成へ偏向するように構成された細長ステアリング部材と
を備える、骨内部を処置するための装置。
【請求項２１】
縦軸周りに湾曲し、骨の内側の前記軸周りを回転するように構成された細長部材を備える、骨内部整備装置。
【請求項２２】
骨内部を整備するためのシステムであって、
前記システムは、縦軸を持つ実質的に螺旋状のセグメントを有する細長部材を備え、
前記細長部材が前記骨の髄内空間に導入されることを特徴とし、
海綿骨物質を変位させるように、前記実質的に螺旋状のセグメントが前記縦軸周りで回転させられることを特徴とする、
システム。
【請求項２３】
縦軸を有する骨に孔を鋸で開けるためのシステムであって、
前記システムは、Ｋワイヤおよび回転コアリング鋸を備え、
前記Ｋワイヤが前記骨に孔を通すために使用され、それによって、前記縦軸に対して鋭角の方向に沿って、実質的に円筒形の通路を骨の髄内空間に形成することを特徴とし、
前記回転コアリング鋸が、孔を鋸で開けるために使用され、それによって、前記通路に対して実質的に同軸の実質的に円筒形のプラグを、前記骨から除去することを特徴とし、
前記回転コアリング鋸またはドリルが、前記Ｋワイヤの一部の周りで回転させられることを特徴とする、
システム。
【請求項２４】
前記Ｋワイヤと前記回転コアリング鋸との同軸関係が持続されることをさらに特徴とする、請求項２３に記載のシステム。
【請求項２５】
前記持続が、前記回転コアリング鋸またはドリルのブッシング周りでの回転を含み、前記Ｋワイヤ、前記ブッシング、および前記回転コアリング鋸またはドリルが実質的に同軸にある、請求項２４に記載のシステム。
【請求項２６】
前記回転コアリング鋸またはドリルから前記円筒形のプラグを除去するために、前記回転コアリング鋸またはドリルに対して前記Ｋワイヤが平行移動されることをさらに特徴とする、請求項２３に記載のシステム。
【請求項２７】
カニューレを含む回転鋸またはドリルと、
前記カニューレに配置されたブッシングと、
前記ブッシングにおいて前記回転鋸またはドリルに対して実質的に同軸に配置されたワイヤと
を備える、骨の内側へアクセスするための装置。
【請求項２８】
鋸またはドリルを備える、骨の内側にアクセスするためのアセンブリであって、前記鋸またはドリルが、縦軸と、前記軸に沿った実質的な窓または開放領域を有し、前記窓が、切粉の除去、側面の切削、および温度低下を容易にするアセンブリ。
【請求項２９】
縦軸を有し、
前記縦軸周りを回転するように、かつ前記縦軸から半径方向に変位するように構成されたリンク装置により、第２のブレードに連結された第１のブレードを備える、骨内部を整備するための装置。
【請求項３０】
骨組織に加わりうる半径方向力機構の量を制限する様々な方法で、前記機構が作動される、請求項２９に記載の装置。
【請求項３１】
骨内部を整備するためのシステムであって、
前記システムは、制御部材を備え、
前記制御部材は、第１の制御位置から第２の制御位置へ移動され、切削面が回転軸周りで骨の内側を回転させられることを特徴とし、
前記切削面は、
前記第１の制御位置に対応する第１の半径方向位置、
前記第２の制御位置に対応する第２の半径方向位置、および
前記第１および第２の制御位置の間の中間制御位置に対応する第３の半径方向位置
を占めるように構成され、
前記第３の半径方向位置が、前記第１および第２の半径方向位置両方よりも、前記回転軸からの半径方向距離が大きいところにある、
システム。
【請求項３２】
骨片位置決め機器であって、
近位端および遠位端を有するプローブ支持部と、
前記近位端に取り付けられたハンドルと、
前記遠位端に取り付けられたプローブとを備え、
前記プローブ支持部が、
骨幹端骨表面の、角のあるアクセス孔を横切るように構成され、
前記ハンドルが骨内部の外側にあり、前記プローブが前記骨内部の内側にあるときに、前記ハンドルと前記プローブとを機械的に連通させる
ように構成される、
骨片位置決め機器。
【請求項３３】
縦軸を有する骨を処置するためのシステムであって、
前記システムは、プローブを備え、
前記プローブは、孔を通して前記内部領域内へ前進されることを特徴とし、
前記孔は、前記縦軸に対してある角度をなして前記骨に設けられ、前記孔は、骨内部領域へのアクセスを提供することを特徴とし、
前記プローブを使用して海綿骨が変位されることを特徴とする、
システム。
【請求項３４】
縦軸を有する骨を処置するためのシステムであって、
前記システムは、プローブを備え、
前記プローブは、孔を通して内部領域内へ前進されることを特徴とし、
前記孔は、前記縦軸に対してある角度をなして前記骨に設けられ、前記孔は、骨内部領域へのアクセスを提供することを特徴とし、
前記プローブを使用して骨物質が変位されることを特徴とする、
システム。
【手続補正２】
【補正対象書類名】明細書
【補正対象項目名】００１１
【補正方法】変更
【補正の内容】
【００１１】
本発明の目的および利点は、添付図面とあわせて以下の詳細な説明を考慮することにより明らかになろう。図中、同一の参照符号は、同一の部分を示す。
一実施形態において、例えば、以下の項目が提供される。
（項目１）
骨の外部形状に対して機器を位置決めするための装置であって、前記機器が、骨の内側の目標領域に位置決めされるように構成された部分を有し、前記骨が表面と、表面垂直軸と、前後軸と、近遠位軸とを有し、前記機器が、
前記表面垂直軸に対する整合を行う底部指標と、
第１および第２の横方向延長部であって、前記第１の横方向延長部が前記骨の前外形に対応して構成され、前記第２の横方向延長部が前記骨の後外形に対応して構成され、前記第１および第２の横方向延長部が、前記前後軸に対して整合を行う第１および第２の横方向延長部と、
前記近遠位軸に沿って視覚的な整合を行うように構成された遠位端を有する前部指標とを備える装置。
（項目２）
骨に対して手術器具を導くための手術器具ガイドであって、前記骨の外側で動作して、前記骨の内側箇所に前記手術器具を位置決めする一連の部材を備え、前記一連の部材が、
３本の直交する直線軸に沿った変位に対して、かつ前記軸周りの回転に対して、前記骨に前記ガイドを位置決めする位置決め部材と、
前記軸に沿った変位に対して、かつ前記軸周りの回転に対して、前記ガイドを保持する制御部材とを備える手術器具ガイド。
（項目３）
骨内部における手術を行う方法であって、
骨の内側の目標領域に対応する位置で、前記骨内部の外側に器具テンプレートを位置決めするステップと、
前記器具テンプレートおよび前記目標領域を示す電子画像を生成するステップと、
器具を前記目標領域に送出するステップとを含む方法。
（項目４）
前記送出するステップが、前記器具を前記目標領域に向けるようにガイド部材を配置するステップを含み、前記ガイド部材が、前記器具テンプレートに対して一定の方向を有する、項目３に記載の方法。
（項目５）
縦軸を有する細長い骨に対して器具を導くための装置であって、
器具ガイド部材と、
前記ガイド部材を支持するベース部材とを備え、
前記器具ガイド部材が、前記縦軸に対して第１の角度を画定する第１の位置から、前記縦軸に対して第２の角度を画定する第２の位置へ、前記ベースに対して旋回するように構成された装置。
（項目６）
前記ガイド部材が前記第１の位置にあるときに、前記器具ガイド部材を前記骨の内側の第１の目標領域に位置合わせし、前記ガイド部材が前記第２の位置にあるときに、前記器具ガイド部材を前記骨の内側の第２の目標領域に位置合わせする整合テンプレートをさらに備える、項目５に記載の装置。
（項目７）
骨の内部領域をブローチングする方法であって、
骨ブローチング部材を前記内部領域内で膨張させるステップと、
前記部材を使用して、前記骨の内側の相対的に低密度の材料を分散させるステップと、
前記骨の内側の相対的に高密度の材料から離れるように前記部材を偏向させるステップとを含む方法。
（項目８）
可撓性のドライブシャフトを使用して前記骨ブローチング部材を回転させるステップをさらに含む、項目７に記載の方法。
（項目９）
ブローチ位置を方向付けすることができる、項目７に記載の方法。
（項目１０）
前記分散させるステップが、前記相対的に低密度の材料を切断するステップを含む、項目７に記載の方法。
（項目１１）
前記分散させるステップが、相対的に低密度の材料を変位させるステップを含む、項目７に記載の方法。
（項目１２）
外部器具ガイドを前記骨ブローチング部材に対して位置合わせするステップと、
前記外部器具ガイドを前記内部領域に視覚的に対応付けるステップと、
前記外部器具ガイドに基づいて、前記骨ブローチング部材を前記内部領域に配置するステップとを含む、項目７に記載の方法。
（項目１３）
回転子と、
前記回転子に固定され、前記回転子に対して移動して、前記回転子から半径方向に離れた骨材料を変位させるように構成されたブローチング部材と
を備える、骨をブローチングするための装置。
（項目１４）
前記骨材料が第１の骨材料であり、前記ブローチング部材がさらに、第２の骨材料周りで実質的に偏向するように構成され、前記第２の骨材料が、前記第１の骨材料の密度よりも高い密度を有する、項目１３に記載の装置。
（項目１５）
前記ブローチング部材が、前記ブローチング部材の形状に対応する第１の外形と、前記第２の骨材料を含む解剖学的構造に対応する第２の外形とを有する空間を、前記骨内に形成するように構成される、項目１４に記載の装置。
（項目１６）
前記ブローチング部材が第１のブローチング部材であるときに、前記第１のブローチング部材の反対側に配置される第２のブローチング部材をさらに備える、項目１５に記載の装置。
（項目１７）
前記ブローチング部材が刃先を備える、項目１３に記載の装置。
（項目１８）
前記ブローチング部材が可撓性のワイヤセグメントを備える、項目１３に記載の装置。
（項目１９）
前記ワイヤセグメントが編組線を備える、項目１８に記載の装置。
（項目２０）
第１の構成と、前記第１の構成よりも小さい曲率半径を有する第２の構成とを有する可撓性シースと、
前記シースを通って延びる回転シャフトと、
前記可撓性シースを前記第１の構成から前記第２の構成へ偏向するように構成された細長ステアリング部材と
を備える、骨内部を処置するための装置。
（項目２１）
縦軸周りに湾曲し、骨の内側の前記軸周りを回転するように構成された細長部材を備える、骨内部整備装置。
（項目２２）
骨の髄内空間へのアクセスを設けるステップと、
縦軸を持つ実質的に螺旋状のセグメントを有する細長部材を前記髄内空間に導入するステップと、
海綿骨物質を変位させるように、前記実質的に螺旋状のセグメントを前記縦軸周りで回転させるステップと
を含む、骨内部を整備する方法。
（項目２３）
縦軸を有する骨に孔を鋸で開ける方法であって、
前記縦軸に対して鋭角の方向に沿って、実質的に円筒形の通路を骨の髄内空間に形成するステップと、
前記通路に対して実質的に同軸の実質的に円筒形のプラグを、前記骨から除去するステップと、
回転コアリング鋸またはドリルを、Ｋワイヤの一部の周りで回転させるステップとを含み、
前記形成するステップが、Ｋワイヤを使用して前記骨に孔を通すステップを含み、
前記除去するステップが、回転コアリング鋸を使用して、孔を鋸で開けるステップを含む方法。
（項目２４）
前記Ｋワイヤと前記回転コアリング鋸との同軸関係を持続させるステップをさらに含む、項目２３に記載の方法。
（項目２５）
前記持続させるステップが、前記回転コアリング鋸またはドリルをブッシング周りで回転させるステップを含み、前記Ｋワイヤ、前記ブッシング、および前記回転コアリング鋸またはドリルが実質的に同軸にある、項目２４に記載の方法。
（項目２６）
前記回転コアリング鋸またはドリルから前記円筒形のプラグを除去するために、前記回転コアリング鋸またはドリルに対して前記Ｋワイヤを平行移動させるステップをさらに含む、項目２３に記載の方法。
（項目２７）
カニューレを含む回転鋸またはドリルと、
前記カニューレに配置されたブッシングと、
前記ブッシング内の前記回転鋸またはドリルに対して実質的に同軸に配置されたワイヤと
を備える、骨の内側へアクセスするための装置。
（項目２８）
鋸またはドリルを備える、骨の内側にアクセスするためのアセンブリであって、前記鋸またはドリルが、縦軸と、前記軸に沿った実質的な窓または開放領域を有し、前記窓が、切粉の除去、側面の切削、温度低下を容易にするアセンブリ。
（項目２９）
縦軸を有し、
前記縦軸周りを回転するように、かつ前記縦軸から半径方向に変位するように構成されたリンク装置により、第２のブレードに連結された第１のブレードを備える、骨内部を整備するための装置。
（項目３０）
骨組織に加わりうる半径方向力機構の量を制限する様々な方法で、前記機構が作動される、項目２９に記載の装置。
（項目３１）
回転軸周りで骨の内側の切削面を回転させるステップと、
第１の制御位置から第２の制御位置へ制御部材を移動させるステップとを含み、
前記切削面が、
前記第１の制御位置に対応する第１の半径方向位置、
前記第２の制御位置に対応する第２の半径方向位置、および
前記第１および第２の制御位置の間の中間制御位置に対応する第３の半径方向位置
を占めるように構成され、
前記第３の半径方向位置が、前記第１および第２の半径方向位置両方よりも、前記回転軸からの半径方向距離が大きいところにある、骨内部を整備する方法。
（項目３２）
骨片位置決め機器であって、
近位端および遠位端を有するプローブ支持部と、
前記近位端に取り付けられたハンドルと、
前記遠位端に取り付けられたプローブとを備え、
前記プローブ支持部が、骨幹端骨表面の、角のあるアクセス孔を横切るように構成され、
前記ハンドルが骨内部の外側にあり、前記プローブが前記骨内部の内側にあるときに、前記ハンドルと前記プローブとを機械的に連通させるように構成される、
骨片位置決め機器。
（項目３３）
縦軸を有する骨を処置する方法であって、
骨内部領域へのアクセスを提供する孔を、前記骨に、前記縦軸に対してある角度をなして設けるステップと、
前記孔を通して前記内部領域内へプローブを前進させるステップと、
前記プローブを使用して海綿骨を変位させるステップとを含む方法。
（項目３４）
縦軸を有する骨を処置する方法であって、
骨内部領域へのアクセスを提供する孔を、前記骨に、前記縦軸に対してある角度をなして設けるステップと、
前記孔を通して前記内部領域内へプローブを前進させるステップと、
前記プローブを使用して骨物質を変位させるステップとを含む方法。